(57)【要約】【課題】加熱手段をオン・オフする毎に、異なるコード信号を２種類以上順番に送信する必要がなく、電力の消費を抑制することが可能な加熱調理器を提供する。【解決手段】加熱手段と、加熱開始・停止指令手段と、加熱条件を設定する加熱条件設定部と、加熱開始・停止指令手段によって加熱手段が加熱を開始・停止したときにその状態に連動して、複数種類の換気装置のうちの一の換気装置をオン・オフさせるオン・オフ信号を無線により送信する無線送信手段と、を備える加熱調理器において、所定のフォーマット設定開始用操作によってフォーマット設定モードを実行する制御部を備え、制御部が、フォーマット設定モードの実行中における加熱条件設定部に対する所定操作に応じて、オン・オフ信号のフォーマットを、複数の異なるフォーマットのうち、加熱手段の加熱の開始・停止に連動して換気装置をオン・オフさせるための一のフォーマットとするように構成する。【選択図】図１
2018204868.tif 000002
【特許請求の範囲】
【請求項１】
加熱手段と、この加熱手段による加熱の開始を指令する加熱開始・停止指令手段と、前記加熱手段による加熱条件を設定する加熱条件設定部と、前記加熱開始・停止指令手段によって前記加熱手段が加熱を開始・停止したときにその状態に連動して、複数種類の換気装置のうちの一の換気装置をオン・オフさせるオン・オフ信号を無線により送信する無線送信手段と、を備える加熱調理器であって、
所定のフォーマット設定開始用操作によってフォーマット設定モードを実行する制御部を備え、
前記制御部が、前記フォーマット設定モードの実行中における前記加熱条件設定部に対する所定操作に応じて、前記オン・オフ信号のフォーマットを、前記複数種類の換気装置に対応する複数の異なるフォーマットのうち、前記加熱手段の加熱の開始・停止に連動させるべき前記一の換気装置に対応する一のフォーマットとするように構成されていること
を特徴とする加熱調理器。
【請求項２】
前記フォーマット設定開始用操作が、前記加熱条件設定部に対する前記加熱条件を設定する操作とは異なる操作であることを特徴とする請求項１記載の加熱調理器。
【請求項３】
前記加熱条件設定部が、加熱時間を設定するためのタイマスイッチと、加熱時間を表示する表示部とを備え、
前記加熱条件設定部に対する前記所定操作が、前記タイマスイッチにより、前記表示部による表示を変更する操作であること
を特徴とする請求項２記載の加熱調理器。
【発明の詳細な説明】
【技術分野】
【０００１】
本発明は、換気装置を連動させることができるように構成された加熱調理器に関し、詳しくは、複数のメーカの換気装置と連動させることができるように構成された加熱調理器に関する。
【背景技術】
【０００２】
加熱調理器の中には、換気装置を連動させることができるように構成された加熱調理器がある。
【０００３】
そのような加熱調理器（調理機器）の一つとして、特許文献１には、操作手段によって加熱手段のオン・オフが行われたときに、その状態に連動して換気装置を作動させるために無線でオン・オフ信号を送信する無線送信手段を備え、無線送信手段は、同じ意味の制御コマンドで異なるコード信号を、少なくとも２種類以上、順番に送信するようにした加熱調理器が提案されている。
【０００４】
この特許文献１の加熱調理器は、換気装置を無線で連動させるにあたって、加熱手段のオン・オフに合わせて複数のメーカの換気装置と連動させる際に、同じ意味の制御コマンドで異なる複数のコード信号（複数のメーカの換気装置のそれぞれに対応する連動信号）を順番に送信するようにしているので、各メーカの換気装置の連動信号が異なる場合にも、無線送信手段を備えた基板を共用化することができて有意義である。
【先行技術文献】
【特許文献】
【０００５】
【特許文献１】特開２００４−２１８９０２号公報
【発明の概要】
【発明が解決しようとする課題】
【０００６】
しかし、操作手段によって加熱手段をオン・オフさせる毎に、異なるコード信号を少なくとも２種類以上を順番に送信することになるので、無線送信用の電力が多くなるという問題があり、省電力の観点からは、改良の余地があるのが実情である。
【０００７】
本発明は、上記の課題を解決するものであり、加熱手段をオン・オフする毎に、異なるコード信号を２種類以上順番に送信する必要がなく、消費電力を抑制することが可能な加熱調理器を提供することを目的とする。
【課題を解決するための手段】
【０００８】
上記の目的を達成するために、本発明の加熱調理器は、
加熱手段と、この加熱手段による加熱の開始を指令する加熱開始・停止指令手段と、前記加熱手段による加熱条件を設定する加熱条件設定部と、前記加熱開始・停止指令手段によって前記加熱手段が加熱を開始・停止したときにその状態に連動して、複数種類の換気装置のうちの一の換気装置をオン・オフさせるオン・オフ信号を無線により送信する無線送信手段と、を備える加熱調理器であって、
所定のフォーマット設定開始用操作によってフォーマット設定モードを実行する制御部を備え、
前記制御部が、前記フォーマット設定モードの実行中における前記加熱条件設定部に対する所定操作に応じて、前記オン・オフ信号のフォーマットを、前記複数種類の換気装置に対応する複数の異なるフォーマットのうち、前記加熱手段の加熱の開始・停止に連動させるべき前記一の換気装置に対応する一のフォーマットとするように構成されていること
を特徴としている。
【０００９】
本発明の加熱調理器においては、前記フォーマット設定開始用操作が、前記加熱条件設定部に対する前記加熱条件を設定する操作とは異なる操作であるように構成することが好ましい。
【００１０】
また、前記加熱条件設定部が、加熱時間を設定するためのタイマスイッチと、加熱時間を表示する表示部とを備え、
前記加熱条件設定部に対する前記所定操作が、前記タイマスイッチにより、前記表示部による表示を変更する操作であること
が好ましい。
【発明の効果】
【００１１】
本発明の加熱調理器は上述のように構成されており、加熱手段と、加熱手段による加熱の開始を指令する加熱開始・停止指令手段と、加熱手段による加熱条件を設定する加熱条件設定部と、加熱開始・停止指令手段によって加熱手段が加熱を開始・停止したときにその状態に連動して、複数種類の換気装置のうちの一の換気装置をオン・オフさせるオン・オフ信号を無線により送信する無線送信手段と、を備える加熱調理器において、所定のフォーマット設定開始用操作によってフォーマット設定モードを実行する制御部を備え、制御部が、フォーマット設定モードの実行中における加熱条件設定部に対する所定操作に応じて、オン・オフ信号のフォーマットを、複数種類の換気装置に対応する複数の異なるフォーマットのうち、加熱手段の加熱の開始・停止に連動させるべき一の換気装置に対応する一のフォーマットとするように構成されているので、加熱手段をオン・オフする毎に、異なるコード信号を２種類以上順番に送信することが不要になり、電力の消費を抑制することが可能な加熱調理器を提供することができるようになる。
【００１２】
すなわち、例えば、加熱調理器が、異なるフォーマットのオン・オフ信号により作動する複数のメーカの換気装置を連動させることができるように構成されている場合において、一旦、加熱調理器に連動させるべき、実際に設置されている一の換気装置に対応するオン・オフ信号用のコード信号として、上述の一のフォーマットのコード信号が設定された後においては、加熱手段のオン・オフの際に、連動させるべき換気装置に対応した一のフォーマットのコード信号のみが送信されることになり、加熱手段をオン・オフする毎に異なるコード信号を２種類以上順番に送信することが不要になるため、電力の消費を抑制することが可能になる。
【００１３】
また、フォーマット設定開始用操作が、加熱条件設定部に対する加熱条件を設定する操作とは異なる操作であるように構成した場合、フォーマット設定開始用操作を行うために、別段の操作部を設けることを不要にして、製造コストを抑えることが可能になり、経済性に優れた加熱調理器を提供することができる。
【００１４】
すなわち、加熱条件設定部を、加熱条件を設定する操作する場合とは異なる態様で操作することにより、フォーマット設定開始用操作が行われる（フォーマット設定モードが開始される）ようにすることで、別のスイッチなどを設けることを必要とすることなく、加熱条件設定部を、フォーマット設定開始用操作（フォーマット設定モードを開始させるための操作）の操作部とすることが可能になり、別段の操作部を設けることを不要にして、加熱調理器の構造の簡略化、コストの低減を図ることができる。
【００１５】
また、加熱条件設定部が、加熱時間を設定するためのタイマスイッチと、加熱時間を表示する表示部とを備え、加熱条件設定部に対する所定操作が、タイマスイッチにより、上記表示部による表示を変更する操作であるように構成した場合、フォーマット設定開始用操作を行うために、別段の操作部を設けることなく、容易かつ確実に、フォーマット設定開始用操作を行うことが可能な加熱調理器を提供することが可能になり、本発明をより実効あらしめることができる。
【図面の簡単な説明】
【００１６】
【図１】本発明の一実施形態にかかる加熱調理器（ガスコンロ）を示す斜視図である。
【図２】本発明の一実施形態にかかる加熱調理器（ガスコンロ）とともに用いられる換気装置（レンジフード）を示す切り欠き正面図である。
【図３】本発明の一実施形態にかかる加熱調理器（ガスコンロ）の、グリル用設定操作部（グリル用調理設定入力部）の一例を示す図である。
【発明を実施するための形態】
【００１７】
以下、本発明の実施形態を示して、その特徴とするところをさらに詳しく説明する。
【００１８】
［実施形態］
＜加熱調理器（ガスコンロ）の基本構成＞
本実施形態にかかる加熱調理器（ガスコンロ）１００は、図１に示すように、コンロ本体Ｈの上面部に、左右一対のコンロバーナ１を備え、コンロ本体Ｈの内部にグリルＧを備えている。また、コンロ本体Ｈの前面には、グリル扉８が設けられている。
【００１９】
なお、この加熱調理器（ガスコンロ）１００は、キッチンカウンタに形成したコンロ装着口に上方から挿入して組み付けられる、いわゆるビルトインタイプのガスコンロであり、コンロ本体Ｈの上部の周縁部には、キッチンカウンタに載置する鍔部が形成されている。
【００２０】
加熱調理器（ガスコンロ）１００を構成するコンロ本体Ｈの上部には、ガラス製の天板２が装備され、天板２の後部側箇所には、グリルＧの調理排気を排出するためのグリル排気口３が形成されている。
【００２１】
また、天板２の上部には、コンロバーナ１にて加熱される鍋などの被加熱物を載置するための五徳４が、左右のコンロバーナ１のそれぞれに対応して設けられている。
【００２２】
なお、コンロバーナ１の中央部には、図１に示すように、鍋などの被加熱物の存在および被加熱物の底壁温度を検出するコンロバーナセンサ１Ａが設けられている。
【００２３】
また、コンロ本体Ｈの上部に装備した天板２の、上記コンロバーナ１より手前側の領域には、左右のコンロバーナ１のそれぞれに対する左右一対のコンロ用操作具５が、天板２から上方に離脱させることができるように設けられている。
【００２４】
また、コンロ本体Ｈの前面部の右側には、グリルＧに対するグリル用設定操作部６が、下方側を支点にした前後揺動により開閉することができるように設けられている。
なお、図１は、グリル用設定操作部６が開いた状態を示している。
【００２５】
ちなみに、一対のコンロ用操作具５のそれぞれは、前後や左右のスライド操作および左右の回転操作により、点火および消火の指令、目標火力の指令、目標温度に維持する自動温度調理の指令など、各種の指令情報を指令するように構成されている。
【００２６】
また、グリル用設定操作部６は、複数の指令スイッチを備えており、それらの複数の指令スイッチの操作により、後述する加熱調理用のグリル加熱手段としてのグリルバーナ（図示せず）に対する点火および消火の指令、目標火力の指令、調理モードの指令など、各種の指令情報を指令するように構成されている。
【００２７】
天板２の上部には、加熱調理器（ガスコンロ）１００の使用開始（コンロバーナ１による加熱の開始、または、グリルバーナによる加熱の開始）に伴って、換気装置（レンジフード）１１０（図２参照）に対して換気運転開始用の赤外線信号を送出し、また、加熱調理器（ガスコンロ）１００の使用終了（コンロバーナ１による加熱、あるいは、グリルバーナによる加熱を行っている状態から、コンロバーナ１およびグリルバーナのいずれもが加熱を停止した状態への移行）に伴って、換気装置（レンジフード）１１０に対して換気運転停止用の赤外線信号を送出する信号送出部１００Ｓが設けられている。
【００２８】
グリルＧによる調理設定の入力を行うためのグリル用設定操作部（グリル用調理設定入力部）６は、図３に示すように、グリルＧの点火・消火操作をするための点火・消火スイッチ９３ａ、グリルＧによる調理時間（焼成時間）を設定するためのタイマスイッチ（タイマ設定入力部）９３ｂ、上火、下火の火力を切り換えるための火力切り換えスイッチ９３ｃ、焼成するメニューを選んで該当する焼成物に対応した焼成制御を選択するためのメニュースイッチ９３ｄ、焼き加減を調整するための焼き加減スイッチ９３ｅ、上記タイマスイッチ（タイマ設定入力部）９３ｂ、火力切り換えスイッチ９３ｃ、メニュースイッチ９３ｄ、焼き加減スイッチ９３ｅなどを操作して設定した各入力を取り消すための取消しスイッチ９３ｆなどを備えている。
【００２９】
また、グリル用設定操作部（グリル用調理設定入力部）６は、タイマスイッチ（タイマ設定入力部）９３ｂにより設定された調理時間を表示する表示部１２０を備えている。
【００３０】
＜加熱調理器（ガスコンロ）とともに用いられる換気装置（レンジフード）の構成＞
上述の本発明にかかる加熱調理器（ガスコンロ）１００とともに用いられる換気装置（レンジフード）１１０（図２参照）は、加熱調理器（ガスコンロ）１００とともに、台所に設置されている。
この換気装置１１０を作動させるための電源としては、商用電源（ＡＣ１００Ｖ）が使用されている。
【００３１】
そして、換気装置１１０は、排気用ファン１０１、排気用ファン１０１を駆動するモータ１０７、台所内の空気の吸い込み口であるフード部１０３、排気ダクト１０６を備えている。そして、排気用ファン１０１を駆動するモータ１０７に通電して、排気用ファン１０１を駆動することにより、フード部１０３から吸い込んだ台所内の空気が、排気ダクト１０６を経由して、台所の外部に排出されるように構成されている。
【００３２】
一般的には、換気装置１１０の排気ダクト１０６に延長用排気筒（図示せず）などが接続され、換気装置１１０のフード部１０３から吸引された台所内の空気は、排気ダクトから上記延長用排気筒を経て、台所の外部に排出される。
【００３３】
そして、換気装置１１０は、図２に示すように、加熱調理器（ガスコンロ）１００の信号送出部１００Ｓから送出される換気運転開始用の赤外線信号、および、加熱調理器（ガスコンロ）１００の信号送出部１００Ｓから送出される換気運転停止用の赤外線信号を受信する信号受信部２００Ｓを備えている。
【００３４】
信号受信部２００Ｓが換気運転開始用の赤外線信号を受信すると、制御部（図示せず）が、排気用ファン１０１を駆動するモータ１０７に通電して、排気用ファン１０１を駆動することで、換気運転を開始する。
【００３５】
また、排気用ファン１０１を駆動させた換気運転の実行中に、信号受信部２００Ｓが換気運転停止用の赤外線信号を受信すると、制御部（図示せず）が、排気用ファン１０１を駆動するモータ１０７への通電を停止して、排気用ファン１０１の駆動を停止して換気運転を停止する。
【００３６】
＜特徴的構成＞
次に、本発明の実施形態にかかる加熱調理器（ガスコンロ）１００の特徴的な構成について説明する。
【００３７】
本実施形態にかかる加熱調理器（ガスコンロ）１００は、コンロ用操作具５を操作してコンロバーナ１を点火したときや、グリル用設定操作部６を操作してグリルバーナ（図示せず）を点火したとき、つまり、コンロバーナ１による加熱を開始したときや、グリルバーナ（図示せず）による加熱を開始したとき、これと連動して換気装置１１０が備える排気用ファン１０１を駆動するモータ１０７に通電して、排気用ファン１０１を駆動することで、換気運転を開始するように構成されている。
【００３８】
また、加熱調理器（ガスコンロ）１００の使用終了（コンロバーナ１による加熱、あるいは、グリルバーナによる加熱を行っている状態から、コンロバーナ１およびグリルバーナのいずれもが加熱を停止した状態への移行）に伴って、排気用ファン１０１を駆動するモータ１０７への通電を停止して、排気用ファン１０１の駆動を停止して換気運転を停止するように構成されている。
【００３９】
そして、本実施形態にかかる加熱調理器（ガスコンロ）１００においては、換気運転の開始、および、換気運転の停止に関し、以下に説明するような工夫がなされている。
【００４０】
つまり、本実施形態にかかる加熱調理器（ガスコンロ）１００は、複数のメーカ（例えば３社）の換気装置（レンジフード）１１０のそれぞれに対応したフォーマットのコード信号を送出することができるように構成されており、換気装置（レンジフード）１１０に対して換気運転開始用の赤外線信号を送出する信号送出部１００Ｓからは、加熱調理器（ガスコンロ）１００の使用開始に伴って、複数のメーカ（例えば３社）のうちの、実際に設置されている一のメーカの換気装置（レンジフード）１１０に対応したフォーマットのコード信号によって換気運転開始用の赤外線信号を送出し、また、加熱調理器（ガスコンロ）１００の使用終了に伴って、複数のメーカ（例えば３社）のうちの、実際に設置されている一のメーカの換気装置（レンジフード）１１０に対応したフォーマットのコード信号によって換気運転終了用の赤外線信号を送出するように設定することが可能に構成されている。
【００４１】
そして、本実施形態にかかる加熱調理器（ガスコンロ）１００においては、所定のフォーマット設定開始用操作（例えば、グリル用設定操作部６が備える複数のスイッチ（例えば、タイマスイッチ（タイマ設定入力部）９３ｂの「＋スイッチ」と「−スイッチ」の同時押し操作）によって、加熱調理器（ガスコンロ）１００用の制御部（図示せず））が、フォーマット設定モードを実行するように構成されている。
【００４２】
加熱調理器（ガスコンロ）１００用の制御部が、フォーマット設定モードを実行すると、先ず、表示部１２０による表示を「００」で点滅表示させて、加熱調理器（ガスコンロ）１００用の制御部が、フォーマット設定モードを実行した旨の報知を行う。
【００４３】
加熱調理器（ガスコンロ）１００用の制御部が、フォーマット設定モードを実行し、加熱調理器（ガスコンロ）１００用の制御部が、フォーマット設定モードを実行した旨の報知を行った後、フォーマット設定モードの実行中における加熱条件設定部（本実施形態では、グリル用設定操作部）６に対する所定操作に応じて、複数の異なるフォーマットのうち、換気装置（レンジフード）１１０を加熱調理器（ガスコンロ）１００と連動させるためのオン・オフ信号のフォーマットとして、実際に設置されている一のメーカの換気装置（レンジフード）１１０のオン・オフ信号のフォーマットに対応したフォーマットが一のフォーマットとして設定される。
【００４４】
すなわち、本実施形態の加熱調理器においては、制御部が、フォーマット設定モードの実行中における加熱条件設定部（グリル用設定操作部）６に対する所定操作に応じて、オン・オフ信号のフォーマットを、複数の異なるフォーマットのうち、加熱手段の加熱の開始・停止に連動して換気装置（レンジフード）１００をオン・オフさせるための一のフォーマットとするように構成されている。
【００４５】
具体的には、本実施形態では、フォーマット設定モードの実行中に、タイマスイッチ（タイマ設定入力部）９３ｂの「＋スイッチ」と「−スイッチ」とを別々に適宜操作して、表示部１２０による表示を、「１」、「２」、「３」の３種類の値に変更できるように構成されている。
【００４６】
そして、表示部１２０による表示を「１」としたときは、換気装置１１０を連動させるためのオン・オフ信号の、複数の異なるフォーマット（例えば、Ａ社用フォーマット、Ｂ社用フォーマット、Ｃ社用フォーマット）のうち、Ａ社用フォーマットが設定されるように構成されている。これにより、Ａ社の換気装置１１０が用いられている場合に、加熱調理器（ガスコンロ）１００とＡ社の換気装置１１０を連動させることが可能になる。
【００４７】
また、表示部１２０による表示を「２」としたときは、換気装置１１０を連動させるためのオン・オフ信号の、複数の異なるフォーマット（例えば、Ａ社用フォーマット、Ｂ社用フォーマット、Ｃ社用フォーマット）のうち、Ｂ社用フォーマットが設定されるように構成されている。これにより、Ｂ社の換気装置１１０が用いられている場合に、加熱調理器（ガスコンロ）１００とＢ社の換気装置１１０を連動させることが可能になる。
【００４８】
また、表示部１２０による表示を「３」としたときは、換気装置１１０を連動させるためのオン・オフ信号の、複数の異なるフォーマット（例えば、Ａ社用フォーマット、Ｂ社用フォーマット、Ｃ社用フォーマット）のうち、Ｃ社用フォーマットが設定されるように構成されている。これにより、Ｃ社の換気装置１１０が用いられている場合に、加熱調理器（ガスコンロ）１００とＣ社の換気装置１１０を連動させることが可能になる。
【００４９】
そして、一旦、一のフォーマットのコード信号が、換気装置（レンジフード）１１０のオン・オフ信号用のコード信号として設定された後においては、換気装置（レンジフード）１１０を加熱調理器（ガスコンロ）１００と連動させるためのオン・オフ信号のフォーマットとして、上述のようなフォーマットの設定操作を必要とすることなく、実際に設置されている一のメーカの換気装置（レンジフード）１１０に対応したフォーマットのコード信号のみが、加熱手段のオン・オフと連動して直ちに換気装置（レンジフード）１１０に送信される。
【００５０】
したがって、本実施形態にかかる加熱調理器（ガスコンロ）１００においては、上述の特許文献１の場合のように、コンロバーナ１およびグリルバーナによる加熱の開始や加熱の停止の度に、異なるコード信号を複数（２種類以上）順番に送信する必要がなく、電力の消費を抑制することが可能な加熱調理器を実現することができる。
【００５１】
また、本実施形態にかかる加熱調理器（ガスコンロ）１００では、グリル用設定操作部６が備える複数のスイッチ（例えば、タイマスイッチ（タイマ設定入力部）９３ｂの「＋スイッチ」と「−スイッチ」）の同時押し操作によって、加熱調理器（ガスコンロ）１００用の制御部（図示せず）が、フォーマット設定モードを実行するように構成されているので、フォーマット設定開始用操作を行うために、別段の操作部を設けることが不要になることから、製造コストの低減を図ることができる。
【００５２】
また、タイマスイッチ９３ｂにより、表示部１２０による表示を変更する操作によって、複数の異なるフォーマットのうち、一のフォーマットを選択するように構成されているので、別段の操作部を設けることなく、容易かつ確実に、フォーマット設定開始用操作を行うことができる。
【００５３】
また、本実施形態にかかる加熱調理器（ガスコンロ）１００では、グリルＧ用の加熱条件を設定するための加熱条件設定部（グリル用設定操作部）６に対する所定操作に応じて複数の異なるフォーマットのうちから一のフォーマットを選択するように構成されているが、コンロバーナ１の加熱条件を設定するための加熱条件設定部に対する所定操作に応じて複数の異なるフォーマットのうちから一のフォーマットを選択するように構成してもよい。
【００５４】
また、本発明においては、上述のように、グリル用の加熱条件設定部（グリル用設定操作部）や、コンロ用の加熱条件設定部を、フォーマット設定開始用操作を行うための操作部としても用いるようにしてもよいが、場合によっては、フォーマット設定開始用操作を行うための操作部を別途設けるようにしてもよい。
【００５５】
また、上記実施形態では、グリルを備えたガスコンロに本発明を適用する場合を例示したが、グリルを備えていないガスコンロにも本発明を適用することが可能である。
【００５６】
本発明は、ビルトイン型ではなく卓上設置型のテーブルコンロにも適用することが可能である。
【００５７】
本発明は、さらにガスを加熱源とする加熱調理器以外の加熱調理器、例えば、電気コンロ、ＩＨコンロにも適用可能である。
【００５８】
本発明は、さらにその他の点においても上記実施形態に限定されるものではなく、本発明の範囲内において種々の変形を加えることが可能である。
【符号の説明】
【００５９】
１          左右一対のガスバーナ（コンロバーナ）
１Ａ        コンロバーナセンサ
２          天板
３          グリル排気口
４          五徳
５          左右一対のコンロ用操作具
６          グリル用設定操作部（グリル用調理設定入力部）
８          グリル扉
９３ａ      点火・消火スイッチ
９３ｂ      タイマスイッチ（タイマ設定入力部）
９３ｃ      火力切り換えスイッチ
９３ｄ      メニュースイッチ
９３ｅ      焼き加減スイッチ
９３ｆ      取消しスイッチ
１００      加熱調理器（ガスコンロ）（グリル付きガスコンロ）
１００Ｓ    信号送出部  
１０１      排気用ファン
１０３      フード部
１０６      排気ダクト
１０７      モータ
１１０      換気装置（レンジフード）
２００Ｓ    信号受信部
Ｇ          グリル
Ｈ          ガスコンロ本体
【図１】
2018204868.tif 000003
【図２】
2018204868.tif 000004
【図３】
2018204868.tif 000005